(57)【特許請求の範囲】
【請求項１】
縦枠と横枠とからなる窓枠に窓ガラスを取り付け、この窓ガラスを取り付けた窓枠を傾斜させて建物の屋根に配置する傾斜状天窓において、
前記窓枠の下流側横枠の外周面に沿って、毛細管現象を生じさせる布その他の部材を設け、この毛細管現象を生じさせる布その他の部材の上端部は前記窓ガラスに接しており、その下端部は前記下流側横枠の下側に連なる屋根または窓ガラスに接しており、
前記毛細管現象を生じさせる布その他の部材の上側には、この毛細管現象を生じさせる布その他の部材を前記窓枠の下流側横枠に固定するためのカバーが設けてあることを特徴とする傾斜状天窓。
【発明の詳細な説明】
【０００１】
【発明の属する技術分野】
本発明は、傾斜させて建物の屋根に配置される傾斜状天窓に関する。
【０００２】
【従来の技術】
従来から、傾斜させて建物の屋根に配置される傾斜状天窓は、窓枠と窓ガラスとの接合部が段差になっているため、下流側の段差部が雨水をせき止め、この段差部と連設している窓ガラスの一部にかけて雨水が溜まることになる。滞留した雨水が蒸発乾燥し、再び雨水が滞まっていくことを繰り返すと、雨水に混ざっている塵埃等が窓ガラスに付着していき、窓ガラスが徐々に汚れていく。特に、傾斜状天窓の傾斜が緩い場合、段差部から窓ガラスの一部にかけて大量の雨水が溜まることになるため、窓ガラスは広範囲にわたって汚れることになる。
【０００３】
【発明が解決しようとする課題】
窓ガラスの汚れをおとすためには、手作業により窓ガラスのクリーニングを行う必要があるため人件費がかかり、また、高所の作業となり作業が大変であるため、汚れたまま放置されていることが多いのが現状である。
【０００４】
そこで本発明は、簡易な方法で傾斜状天窓に溜まった雨水を迅速に排水することにより、窓ガラスに付着する汚れを少なくして、メンテナンスコストの削減を図ることを目的とする。
【０００５】
【課題を解決するための手段】
上記目的を達成するため、本発明に係る傾斜状天窓は、縦枠と横枠とからなる窓枠に窓ガラスを取り付け、この窓ガラスを取り付けた窓枠を傾斜させて建物の屋根に配置する傾斜状天窓において、前記窓枠の下流側横枠の外周面に沿って、毛細管現象を生じさせる布その他の部材を設けてある。そして、この毛細管現象を生じさせる布その他の部材の上端部は前記窓ガラスに接しており、その下端部は前記下流側横枠の下側に連なる屋根または窓ガラスに接している。前記毛細管現象を生じさせる布その他の部材の上側には、この毛細管現象を生じさせる布その他の部材を前記窓枠の下流側横枠に固定するためのカバーが設けてある。
【０００６】
【発明の実施の形態】
以下、本発明に係る傾斜状天窓の第１の実施の形態を、図面に基づいて説明する。
【０００７】
図１，２に示すように、本発明に係る傾斜状天窓は、窓ガラス２が取り付けられた窓枠１と、この窓枠の横枠１１の外周面に沿って設けられる布３と、この布の上側に設けてあるカバー４とから構成される。
【０００８】
まず、窓枠１について説明する。窓枠１は、屋根６の一部として組み込まれるものである。窓枠１は、サッシでできており、縦枠（図示せず）と、この縦枠と水平に配置される横枠１１，１２とから構成される中空状をしたものである。窓枠１の内周面には、溝部１３が連続して形成してあり、この溝部に窓ガラス２が取り付けられる。したがって、窓枠１に窓ガラス２を取り付けたとき、窓枠と窓ガラスとの接合部分には段差ができることになる。窓枠１の下流側の横枠１１の上面には、所定の間隔をおいて複数の雌ねじ部（図示せず）が形成してある。雌ねじ部は、後述する布３とカバー４を横枠１１に取り付けるためのビス５と螺合可能なものである。
【０００９】
次に、布３について説明する。布３は、毛細管現象を生じさせる素材でできており、横枠１１の一部の外周面に沿って設けてある。布３の上端部は窓ガラス２に接しており、その下端部は横枠１１の下流側に連なる屋根６に接している。なお、布３は、毛細管現象を生じさせるものであれば、布に限らずどのようなものでもよい。また、布３を横枠１１の複数個所に設けたり、横幅の広い布を使用すれば、より短時間で排水することが可能になる。
【００１０】
次に、カバー４について説明する。カバー４は、布３を窓枠１の横枠１１に固定するためのものであり、平面コ字状をしている。カバー４には、複数のビス孔が形成してあり、このビス孔にビス５をねじ込むことが可能である。
【００１１】
次に、本実施の形態の作用について説明する。
図２に示すように、雨が降ると、雨水７はカバー４を乗り越えてその下流側に設けてある屋根６へ流れていく。しかし、雨量が少なかったり、カバー４を乗り越えることができなかった場合、窓枠１の横枠１１と窓ガラス２との接合部分にできる段差部がダムとしての役目を果たすため、この部分に雨水７が溜まることになる。このとき、布３の上端部は、滞留している雨水７の中に浸った状態になる。したがって、滞留している雨水７は、布３の毛細管現象により、この布内を伝わって下流側へと少しずつ移動していき、横枠１１に連なる屋根６の方にすべて流れていくことになる。そして、乾燥後に残った塵埃の多くは、風により吹き飛ばされる。
【００１２】
なお、本実施の形態は、布３を窓枠１に固定するため、布の上側にカバー４を設けたが、窓枠の外周部に直接布をビス等で取り付けて固定してもよい。
また、布３とカバー４は、窓枠１の下流側の横枠１１の外周面及び布の上側にだけ設けるのではなく、窓枠の上流側の横枠１２の外周面及び布の上側との両方に設けてもよい。
【００１３】
次に、本発明の第２の実施の形態について説明する。
図３に示すように、本実施の形態は、３枚の窓ガラスと２つの窓枠が組み合わされて構成されたものであり、具体的には窓ガラス２１，２２，２３が取り付けられた窓枠８，９と、布３１，３２と、カバー４１，４２とから構成される。
【００１４】
窓枠８，９について説明すると、窓枠８，９の内周面及び外周面には、溝部８１，８２，９１，９２がそれぞれ連続して形成してあり、この溝部に窓ガラス２１，２２，２３が取り付けられる。したがって、窓枠８，９に窓ガラス２１，２２，２３を取り付けたとき、窓枠８，９と窓ガラス２１，２２，２３との接合部分には、それぞれ段差ができることになる。窓枠８，９の上面には、複数の雌ねじ部（図示せず）が形成してあり、この雌ねじ部は、布３１，３２とカバー４１，４２をこれらの窓枠の外周面に取り付けるためのビス（図示せず）と螺合可能なものである。
【００１５】
なお、布３１，３２とカバー４１，４２は、第１の実施の形態の布３とカバー４の構成と実質的に同一である。本実施の形態では、布３１の両端部は窓ガラス２１，２２にそれぞれ接しており、布３２の両端部は窓ガラス２１，２３にそれぞれ接している。
【００１６】
次に、本実施の形態の作用について説明する。
図３に示すように、雨が降ると、雨水７１，７２はカバー４１，４２を乗り越えて、その下流側に設けてある窓ガラス２１，２３へと流れていく。しかし、雨量が少なかったり、カバー４１，４２を乗り越えることができなかった場合、窓枠８と窓ガラス２１，２２との接合部分にできる段差部がダムとしての役目を果たすため、この部分に雨水７１，７２が溜まることになる。このとき、布３１，３２の上端部は、滞留している雨水７１，７２の中に浸った状態になる。したがって、滞留している雨水７１は、布３１の毛細管現象により、この布内を伝わって窓ガラス２１へと流れていく。そして、雨水７２は、布３２の毛細管現象により、この布内を伝わって窓ガラス２３へと流れていく。
【００１７】
なお、本実施の形態は、３枚の窓ガラスと２つの窓枠が組み合わされて構成されたものであるが、窓ガラスと窓枠の個数をさらに増やして組み合わせたものでもよい。
【００１８】
【発明の効果】
以上説明したように本発明によれば、簡易な方法で傾斜状天窓に溜まった雨水を迅速に排水することにより、窓ガラスに付着する汚れを少なくすることができる。このため、頻繁に手作業でクリーニングを行う必要がなくなり、メンテナンスコストの削減を図ることができる。
【図面の簡単な説明】
【図１】窓枠に布とカバーが取り付けられた状態での第１の実施の形態の要部を示す斜視図である。
【図２】屋根の一部として組み込まれた状態での第１の実施の形態の縦断面図である。
【図３】第２の実施の形態の要部の縦断面図である。
【符号の説明】
１          窓枠
１１，１２  横枠
２          窓ガラス
３          布（毛細管現象を生じさせる布その他の部材）
４          カバー
６          屋根
【図１】
0003925671.tif 000002
【図２】
0003925671.tif 000003
【図３】
0003925671.tif 000004